(57)【要約】  固体光源の完全放射体及び非完全放射体調光のシステム及び方法が開示される。ＣＩＥ１９３１色度図上の相関色温度値の所定の第１範囲のために、複数の固体光源に流れる電流が調整され、従って、光出力が、その所定の第１範囲上の黒体カーブに関する相関色温度値に従う。相関色温度値の所定の第２範囲のために、複数の固体光源に流れる電流が調整され、従って、光出力が、黒体カーブから逸脱し、むしろそのカーブと固体光源の一つの色点の間のラインを通る一連の座標に関する。
2015519698.tif 000002
【特許請求の範囲】
【請求項１】
第１色点を有する第１固体光源、第２色点を有する第２固体光源、及び第３色点を有する第３固体光源を備える複数の固体光源；
前記複数の固体光源に接続され、前記複数の固体光源の各固体光源に流れる電流量を制御して照明装置のための光出力を生成するように構成された制御回路；及び
前記制御回路に接続されたメモリーシステムを備え、
前記メモリーシステムが、相関色温度の範囲のため：
ＣＩＥ１９３１色度図上のｘ軸座標及び対応のｙ軸座標の第１の複数の組を含むデータの第１セットであって、前記第１の複数の組の各組が対応の光束を含み、各対応の光束が、前記範囲の第１部分上の特定の相関色温度に関する、データの第１セット；及び
ＣＩＥ１９３１色度図上のｘ軸座標及び対応のｙ軸座標の第２の複数の組を含むデータの第２セットであって、前記第２の複数の組の各組が対応の光束を含み、各対応の光束が、前記範囲の第２部分上の特定の相関色温度に関する、データの第２セットを含み、
前記範囲の第１部分についての前記第１の複数の組が、前記範囲の第１部分内での相関色温度の第１セットのために黒体カーブからｘ座標と対応のｙ座標の組を取ることにより決定され、
前記範囲の第２部分内での相関色温度の第２セットについての前記第２の複数の組が、第１端点と第２端点を接続するラインからｘ座標と対応のｙ座標の組を取ることにより決定され、前記第１端点が前記黒体カーブ上にあり、前記第２端点が前記第１色点、前記第２色点、及び前記第３色点の一つである、照明装置。
【請求項２】
前記制御回路は、入力を受けるべく構成された入力回路を備え、また前記制御回路は、受けた入力に応答し、前記メモリーシステムにおける前記データの第１セット及び前記データの第２セットにアクセスし、前記照明装置のための光出力をその入力に対応する所望の設定に調整するように構成される、請求項１に記載の照明装置。
【請求項３】
前記入力が前記光出力のための所望の相関色温度及び所望の光束の一つを規定する、請求項２に記載の照明装置。
【請求項４】
前記データの第１セットにおける前記第１の複数の組における組のサブセットが、その組の光束に対応する調光レベルを含む、請求項１に記載の照明装置。
【請求項５】
前記制御回路が、入力を受けるべく構成された入力回路を含み、前記入力が、所望の調光レベルを含み、また前記制御回路は、受けた前記入力に応答して、前記メモリーシステムにおける前記データの第１セット及び前記データの第２セットにアクセスし、前記照明装置のための光出力を前記所望の調光レベルに対応する光束に調整するように構成される、請求項４に記載の照明装置。
【請求項６】
前記第１端点及び前記第２端点を接続する前記ラインが、ラインセグメントである、請求項１に記載の照明装置。
【請求項７】
前記第１端点及び前記第２端点を接続する前記ラインが、複数のラインセグメントにより規定され、前記複数のラインセグメントの第１ラインセグメントが第１スロープを有し、前記複数のラインセグメントの第２ラインセグメントが第２スロープを含み、前記第１スロープが前記第２スロープとは異なる、請求項１に記載の照明装置。
【請求項８】
前記第１端点及び前記第２端点を接続する前記ラインがカーブである、請求項１に記載の照明装置。
【請求項９】
前記第１端点及び前記第２端点を接続する前記ラインが複数のカーブである、請求項１に記載の照明装置。
【請求項１０】
相関色温度の第１セットのためにＣＩＥ１９３１色度図の黒体カーブ上のｘ軸座標と対応のｙ軸座標の第１の複数の組を含むデータの第１セットであって、前記第１の複数の組の各組が、前記相関色温度の第１セットの相関色温度に対応するデータの第一セットを生成し；
前記第１の複数の組における各組に対して光束及び対応の調光レベルを関連させ；
相関色温度の第２セットのためにＣＩＥ１９３１色度図上の第１端点と第２端点の間のライン上のｘ軸座標と対応のｙ軸座標の第２の複数の組を含むデータの第２セットであって、前記第１端点が黒体カーブ上にあり、前記第２端点が前記複数の固体光源の固体光源の色点であり、前記第２の複数の組における各組が、前記相関色温度の第２セットの相関色温度に対応するデータの第２セットを生成し；
前記第２の複数の組における各組に光束及び対応の調光レベルを関連させ；
所望の調光レベルを特定する入力を受け取り；
前記データの第１セット及び前記データの第２セット内で、前記所望の調光レベルと同一である対応の調光レベルのために、ｘ軸座標と対応のｙ軸座標の組、対応の相関色温度、及び関連の光束の場所を求め；及び
前記複数の固体光源への電流を調整し、実質的に前記所望の調光レベルに関連した前記データの第１セット及び前記データの第２セットにおける光束である光束を有する光出力を生成する、複数の固体光源の調光方法。
【請求項１１】
前記データの第２セットを生成することが、相関色温度の第２セットのためにＣＩＥ１９３１色度図上の第１端点と第２端点の間のライン上のｘ軸座標と対応のｙ軸座標の第２の複数の組を含むデータの第２セットを生成することを含み、前記第１端点が黒体カーブ上にあり、前記第２端点が前記複数の固体光源の固体光源の色点であり、前記第２の複数の組における各組が、前記相関色温度の第２セットの相関色温度に対応し、前記ラインがラインセグメントである、請求項１０に記載の方法。
【請求項１２】
前記データの第２セットを生成することが、相関色温度の第２セットのためにＣＩＥ１９３１色度図上の第１端点と第２端点の間のライン上のｘ軸座標と対応のｙ軸座標の第２の複数の組を含むデータの第２セットを生成することを含み、前記第１端点が黒体カーブ上にあり、前記第２端点が前記複数の固体光源の固体光源の色点であり、前記第２の複数の組における各組が、前記相関色温度の第２セットの相関色温度に対応し、前記ラインがカーブである、請求項１０に記載の方法。
【請求項１３】
第１色点を有する第１固体光源、第２色点を有する第２固体光源、及び第３色点を有する第３固体光源を備える複数の固体光源；
前記複数の固体光源に接続されたコントローラー；及び
前記コントローラーに接続されたメモリーシステムを備え、
前記メモリーシステムが、調光アプリケーション、データの第１セット及びデータの第２セットを含み；
前記データの第１セットが、相関色温度の第１セットのためにＣＩＥ１９３１色度図の黒体カーブ上のｘ軸座標と対応のｙ軸座標の第１の複数の組を含み、前記第１の複数の組における各組が、前記相関色温度の第１セットの相関色温度に対応し、また関連の光束を有し；
前記データの第２セットが、相関色温度の第２セットのためにＣＩＥ１９３１色度図上の第１端点と第２端点の間のライン上のｘ軸座標と対応のｙ軸座標の第２の複数の組を含み、前記第１端点が黒体カーブ上にあり、前記第２端点が前記複数の固体光源の固体光源の色点であり、前記第２の複数の組における各組が、前記相関色温度の第２セットの相関色温度に対応し、また関連の光束を有し；
前記調光アプリケーションは、調光プロセス時に前記コントローラーにおいて実行される時、
所望の調光レベルを特定する入力を受け取り、
前記データの第１セット及び前記データの第２セット内で、前記所望の調光レベルと同一である対応の調光レベルのために、ｘ軸座標と対応のｙ軸座標の組、対応の相関色温度、及び関連の光束の場所を求め、及び
前記複数の固体光源への電流を調整し、実質的に前記所望の調光レベルに関連した前記データの第１セット及び前記データの第２セットにおける光束である光束を有する光出力を生成する動作を実行する、照明システム。
【請求項１４】
非一時的なコンピューター読み取り可能媒体上に記憶され、複数の固体光源に繋がったコントローラー上で実行される時、前記コントローラーに次の動作：
相関色温度の第１セットのためにＣＩＥ１９３１色度図の黒体カーブ上のｘ軸座標と対応のｙ軸座標の第１の複数の組を含むデータの第１セットであって、前記第１の複数の組における各組が前記相関色温度の第１セットの相関色温度に対応し、また関連の光束を含む、データの第１セットを記憶し；
相関色温度の第２セットのためにＣＩＥ１９３１色度図上の第１端点と第２端点の間のライン上のｘ軸座標と対応のｙ軸座標の第２の複数の組を含むデータの第２セットであって、前記第１端点が黒体カーブ上にあり、前記第２端点が前記複数の固体光源の固体光源の色点であり、前記第２の複数の組における各組が前記相関色温度の第２セットの相関色温度に対応し、また関連の光束を含む、データの第２セットを記憶し；
前記複数の固体光源からの所望の調光レベルを特定する入力を受け取り；
前記データの第１セット及び前記データの第２セット内で、前記所望の光束と同一である関連の光束の場所を求め；
前記関連の光束のためにｘ軸座標と対応のｙ軸座標の組と対応の相関色温度を決定し；及び
決定されたｘ軸座標と対応のｙ軸座標の組と対応の相関色温度を用い、前記複数の固体光源への電流を調整し、実質的に前記関連の光束である光束を有する光出力を生成する動作を実行させる指令を含む、コンピュータープログラム製品。
【請求項１５】
前記コントローラーが、相関色温度の第１セットのためにＣＩＥ１９３１色度図の黒体カーブ上のｘ軸座標と対応のｙ軸座標の第１の複数の組を含むデータの第１セットを記憶することによりデータの第一セットを記憶する動作を実行し、前記第１の複数の組における各組が、前記相関色温度の第１セットの相関色温度に対応し、また関連の光束及び対応の調光レベルを含む；及び
前記コントローラーが、相関色温度の第２セットのためにＣＩＥ１９３１色度図上の第１端点と第２端点の間のライン上のｘ軸座標と対応のｙ軸座標の第２の複数の組を含むデータの第２セットを記憶することによりデータの第２セットを記憶する動作を実行し、前記第１端点が黒体カーブ上にあり、前記第２端点が、前記複数の固体光源の固体光源の色点であり、前記第２の複数の組における各組が、前記相関色温度の第２セットの相関色温度に対応し、また関連の光束及び対応の調光レベルを含む、請求項１４に記載のコンピュータープログラム製品。
【請求項１６】
前記コントローラーが、前記複数の固体光源による光出力のために所望の調光レベルを特定する入力を受けることにより受ける動作を実行し；
前記コントローラーは、前記データの第１セット及び前記データの第２セット内で、前記所望の調光レベルと同一である対応の調光レベルの場所を求めることにより場所を求める動作を実行し；
前記コントローラーは、前記対応の調光レベルのためにｘ軸座標と対応のｙ軸座標の組及び対応の相関色温度を決定することにより決定する動作を実行し；及び
前記コントローラーは、決定されたｘ軸座標と対応のｙ軸座標の組及び対応の相関色温度を用い、前記複数の固体光源への電流を調整し、実質的に対応の調光レベルである調光レベルを有する光出力を生成することにより用いる動作を実行する、請求項１５に記載のコンピュータープログラム製品。
【請求項１７】
前記コントローラーは、相関色温度の第２セットのためにＣＩＥ１９３１色度図上の第１端点と第２端点の間のライン上のｘ軸座標と対応のｙ軸座標の第２の複数の組を含むデータの第２セットを記憶することによりデータの第２セットを記憶する動作を実行し、前記第１端点が黒体カーブ上にあり、前記第２端点が前記複数の固体光源の固体光源の色点であり、前記第２の複数の組における各組が、前記相関色温度の第２セットの相関色温度に対応し、また前記ラインがラインセグメントである、請求項１５に記載のコンピュータープログラム製品。
【請求項１８】
前記コントローラーは、相関色温度の第２セットのためにＣＩＥ１９３１色度図上の第１端点と第２端点の間のライン上のｘ軸座標と対応のｙ軸座標の第２の複数の組を含むデータの第２セットを記憶することにより、データの第２セットを記憶する動作を実行し、前記第１端点が黒体カーブ上にあり、前記第２端点が、前記複数の固体光源の固体光源の色点であり、前記第２の複数の組における各組が前記相関色温度の第２セットの相関色温度に対応し、前記ラインがカーブである、請求項１５に記載のコンピュータープログラム製品。
【発明の詳細な説明】
【技術分野】
【０００１】
関連出願の相互参照
本出願は、「多数の固体光源の完全放射体及び非完全放射体調光」と題された２０１３年５月４日に出願された米国仮出願番号６１／６４２，８８１に基づく優先権を主張し、その全内容が参照により組み込まれる。
【０００２】
本発明は、照明、より詳細には固体光源の調光に関する。
【背景技術】
【０００３】
ハロゲンランプ又は白熱ランプといった慣例の光源は、調光される時、真の黒体放射近くのように挙動し、ＣＩＥ１９３１色度図上の完全放射体カーブに従う。例えば、慣例のハロゲンランプは、その最大出力において２６００Ｋの色温度を有する光を出力する。そのようにハロゲンランプが調光されるため、そのタングステンフィラメントに流れる電流が減じられ、より低い、より温かい色温度（例えば、２０００Ｋ）に帰結する。そのような調光が、ランプの出力に含まれるより赤い光に帰結するため、そのような調光は、典型的には赤い調光として知られている。
【０００４】
固体光源がより多用されるに従い、照明設計者及び照明消費者は、固体光源が慣例の光源と同様に挙動することを望む。しかしながら、ハロゲンランプとは異なり、固体光源が調光されると、典型的には、その色温度が保たれる。これは色混合技術を用いることにより、ある程度まで解決されている。例えば、白色光を生成する固体光源とオレンジ／赤色光（例えば、５９０ｎｍ又は実質的に５９０ｎｍ）を生成する固体光源が、両方とも照明装置内に配置される。最大出力にて、白色光生成固体光源のみがオンである。出力が弱められると、オレンジ／赤光生成固体光源がオンに切り替えられ、その強度が高められ、対応して白色光生成固体光源にて強度が減じられる。これは、赤い調光の効果を模倣し、減じられた光出力の色温度が正確に、若しくはやや正確に完全放射体カーブに従う。
【発明の概要】
【課題を解決するための手段】
【０００５】
伝統的な光源の黒体放射体の挙動を模倣するために、固体光源を調光するための慣例の技術は、ＣＩＥ１９３１色度図の完全放射体カーブに正確（若しくはやや正確）に従って変動する色温度を有する光を生成することを試みる。そのような技術は、固体光源へ不断のフィードバックや固体光源の調整を提供する電気装置や他の部品に加えて、多様な追加の固体光源を要求する。これは、固体光源を含むが、伝統的な光源の調光を模倣することができる照明を設計することのコストや複雑さの両方を大きく高める。更には、上述したような二色混合の解決方法は、調光されない時にオフにある第２の非白色固体光源に起因した低い利用度と、各固体光源の色点らがきっちりと整合されなければならないため、非常に厳格なビニング（binning）要求を有する。そのような制限は、更に、伝統的な光源に似て調光する固体光源付きの照明装置の設計及び生産の複雑さ及びコストを増加させる。
【０００６】
本明細書に記述の実施形態が、完全放射体カーブから固体光源の調光を離すことにより、そのような欠点を解決する。本明細書に開示のように、そのような非完全放射体調光技術は、完全放射体カーブに現に従う、若しくは実質的に従うことなく、完全放射体カーブに沿って調光する黒体放射体を模倣する合理的な仕事をする。これは、伝統的なハロゲン光源の赤い調光効果を模倣しようと試みる時に真に本当である。３以上の色解決に基づく実施形態は、先行技術と比べて、高い能率、高い演色評価数（９０＋）、及び良い光源利用度を有する。実施形態は、また、広い周囲温度範囲（限定するわけではないが、例えば、実質的に１０℃〜実質的に８０℃）内において正確な色制御（マクアダム楕円１〜２ステップ内）を提供し、また色ビニングに関してより耐性があり、顕著なコスト節約に帰結する。
【０００７】
ある実施形態において、照明装置が提供される。照明装置は、第１色点を有する第１固体光源、第２色点を有する第２固体光源、及び第３色点を有する第３固体光源を備える複数の固体光源；前記複数の固体光源に接続され、照明装置のための光出力を生成するべく前記複数の固体光源の各固体光源に流れる電流量を制御するように構成された制御回路；及び制御回路に接続されたメモリーシステムを備え、前記メモリーシステムが、相関色温度の範囲のため：ＣＩＥ１９３１色度図上のｘ軸座標及び対応のｙ軸座標の第１の複数の組を含むデータの第１セットであって、前記第１の複数の組の各組が対応の光束を含み、各対応の光束が、前記範囲の第１部分上の特定の相関色温度に関する、データの第１セット；及びＣＩＥ１９３１色度図上のｘ軸座標及び対応のｙ軸座標の第２の複数の組を含むデータの第２セットであって、前記第２の複数の組の各組が対応の光束を含み、各対応の光束が、前記範囲の第２部分上の特定の相関色温度に関する、データの第２セットを含み、前記範囲の第１部分についての前記第１の複数の組が、前記範囲の第１部分内での相関色温度の第１セットのために黒体カーブからｘ座標と対応のｙ座標の組を取ることにより決定され、前記範囲の第２部分内での相関色温度の第２セットについての前記第２の複数の組が、第１端点と第２端点を接続するラインからｘ座標と対応のｙ座標の組を取ることにより決定され、前記第１端点が前記黒体カーブ上にあり、前記第２端点が前記第１色点、前記第２色点、及び前記第３色点の一つである。
【０００８】
関連の実施形態においては、制御回路は、入力を受けるべく構成された入力回路を含み、また制御回路は、受けた入力に応答し、メモリーシステムにおけるデータの第１セット及びデータの第２セットにアクセスし、照明装置のための光出力を入力に対応する所望の設定に調整するように構成される。更なる関連の実施形態においては、入力が光出力のための所望の相関色温度及び所望の光束の一つを規定する。別の関連の実施形態においては、前記データの第１セットにおける前記第１の複数の組における組のサブセットが、組の光束に対応する調光レベルを含む。更なる関連の実施形態においては、制御回路が、入力を受けるべく構成された入力回路を含み、前記入力が、所望の調光レベルを含み、前記制御回路は、受けた入力に応答して、前記メモリーシステムにおける前記データの第１セット及び前記データの第２セットにアクセスし、照明装置のための光出力を前記所望の調光レベルに対応する光束に調整するように構成される。
【０００９】
また別の更なる関連の実施形態においては、前記第１端点及び前記第２端点を接続する前記ラインが、ラインセグメントである。また別の更なる関連の実施形態においては、前記第１端点及び前記第２端点を接続する前記ラインが、複数のラインセグメントにより規定され、前記複数のラインセグメントの第１ラインセグメントが第１スロープを有し、前記複数のラインセグメントの第２ラインセグメントが第２スロープを含み、前記第１スロープが前記第２スロープとは異なる。
【００１０】
また別の更なる関連の実施形態においては、前記第１端点及び前記第２端点を接続する前記ラインがカーブである。また別の関連の実施形態においては、前記第１端点及び前記第２端点を接続する前記ラインが複数のカーブである。
【００１１】
別の実施形態においては、複数の固体光源の調光方法が提供される。方法は、相関色温度の第１セットのためにＣＩＥ１９３１色度図の黒体カーブ上のｘ軸座標と対応のｙ軸座標の第１の複数の組を含むデータの第１セットであって、前記第１の複数の組の各組が、前記相関色温度の第１セットの相関色温度に対応する、データの第１セットを生成し；
前記第１の複数の組における各組に対して光束及び対応の調光レベルを関連させ；
相関色温度の第２セットのためにＣＩＥ１９３１色度図上の第１端点と第２端点の間のライン上のｘ軸座標と対応のｙ軸座標の第２の複数の組を含むデータの第２セットであって、前記第１端点が黒体カーブ上にあり、前記第２端点が前記複数の固体光源の固体光源の色点であり、前記第２の複数の組における各組が、前記相関色温度の第２セットの相関色温度に対応するデータの第２セットを生成し；前記第２の複数の組における各組に光束及び対応の調光レベルを関連させ；所望の調光レベルを特定する入力を受け取り；前記データの第１セット及び前記データの第２セット内で、前記所望の調光レベルと同一である対応の調光レベルのために、ｘ軸座標と対応のｙ軸座標の組、対応の相関色温度、及び関連の光束の場所を求め；及び前記複数の固体光源への電流を調整し、実質的に前記所望の調光レベルに関連した前記データの第１セット及び前記データの第２セットにおける光束である光束を有する光出力を生成する。
【００１２】
関連の実施形態においては、前記データの第２セットを生成することが、相関色温度の第２セットのためにＣＩＥ１９３１色度図上の第１端点と第２端点の間のライン上のｘ軸座標と対応のｙ軸座標の第２の複数の組を含むデータの第２セットを生成することを含み、前記第１端点が黒体カーブ上にあり、前記第２端点が前記複数の固体光源の固体光源の色点であり、前記第２の複数の組における各組が、前記相関色温度の第２セットの相関色温度に対応し、前記ラインがラインセグメントである。
【００１３】
別の関連の実施形態においては、前記データの第２セットを生成することが、相関色温度の第２セットのためにＣＩＥ１９３１色度図上の第１端点と第２端点の間のライン上のｘ軸座標と対応のｙ軸座標の第２の複数の組を含むデータの第２セットを生成することを含み、前記第１端点が黒体カーブ上にあり、前記第２端点が前記複数の固体光源の固体光源の色点であり、前記第２の複数の組における各組が、前記相関色温度の第２セットの相関色温度に対応し、前記ラインがカーブである。
【００１４】
別の実施形態においては、照明システムが提供される。照明システムは、第１色点を有する第１固体光源、第２色点を有する第２固体光源、及び第３色点を有する第３固体光源を備える複数の固体光源；前記複数の固体光源に接続されたコントローラー；及び前記コントローラーに接続されたメモリーシステムを備え、前記メモリーシステムが、調光アプリケーション、データの第１セット及びデータの第２セットを含み；前記データの第１セットが、相関色温度の第１セットのためにＣＩＥ１９３１色度図の黒体カーブ上のｘ軸座標と対応のｙ軸座標の第１の複数の組を含み、前記第１の複数の組における各組が、相関色温度の第１セットの相関色温度に対応し、また関連の光束を有し；
前記データの第２セットが、相関色温度の第２セットのためにＣＩＥ１９３１色度図上の第１端点と第２端点の間のライン上のｘ軸座標と対応のｙ軸座標の第２の複数の組を含み、前記第１端点が黒体カーブ上にあり、前記第２端点が前記複数の固体光源の固体光源の色点であり、前記第２の複数の組における各組が、前記相関色温度の第２セットの相関色温度に対応し、また関連の光束を有し；
前記調光アプリケーションは、調光プロセス時にコントローラーにおいて実行される時、所望の調光レベルを特定する入力を受け取り、前記データの第１セット及び前記データの第２セット内で、前記所望の調光レベルと同一である対応の調光レベルのために、ｘ軸座標と対応のｙ軸座標の組、対応の相関色温度、及び関連の光束の場所を求め、及び前記複数の固体光源への電流を調整し、実質的に前記所望の調光レベルに関連した前記データの第１セット及び前記データの第２セットにおける光束である光束を有する光出力を生成する動作を実行する。
【００１５】
別の実施形態においては、非一時的なコンピューター読み取り可能媒体上に記憶され、複数の固体光源に繋がったコントローラー上で実行される時、前記コントローラーに次の動作：
相関色温度の第１セットのためにＣＩＥ１９３１色度図の黒体カーブ上のｘ軸座標と対応のｙ軸座標の第１の複数の組を含むデータの第１セットであって、前記第１の複数の組における各組が前記相関色温度の第１セットの相関色温度に対応し、また関連の光束を含む、データの第１セットを記憶し；
相関色温度の第２セットのためにＣＩＥ１９３１色度図上の第１端点と第２端点の間のライン上のｘ軸座標と対応のｙ軸座標の第２の複数の組を含むデータの第２セットであって、前記第１端点が黒体カーブ上にあり、前記第２端点が前記複数の固体光源の固体光源の色点であり、前記第２の複数の組における各組が前記相関色温度の第２セットの相関色温度に対応し、また関連の光束を含む、データの第２セットを記憶し；
前記複数の固体光源からの所望の調光レベルを特定する入力を受け取り；
前記データの第１セット及び前記データの第２セット内で、前記所望の光束と同一である関連の光束の場所を求め；
前記関連の光束のためにｘ軸座標と対応のｙ軸座標の組と対応の相関色温度を決定し；及び
決定されたｘ軸座標と対応のｙ軸座標の組と対応の相関色温度を用い、前記複数の固体光源への電流を調整し、実質的に前記関連の光束である光束を有する光出力を生成する動作を実行させる指令を含む、コンピュータープログラム製品が提供される。
【００１６】
関連の実施形態においては、コントローラーが、相関色温度の第１セットのためにＣＩＥ１９３１色度図の黒体カーブ上のｘ軸座標と対応のｙ軸座標の第１の複数の組を含むデータの第１セットを記憶することによりデータの第一セットを記憶する動作を実行し、前記第１の複数の組における各組が、相関色温度の第１セットの相関色温度に対応し、また関連の光束及び対応の調光レベルを含む；及び
前記コントローラーが、相関色温度の第２セットのためにＣＩＥ１９３１色度図上の第１端点と第２端点の間のライン上のｘ軸座標と対応のｙ軸座標の第２の複数の組を含むデータの第２セットを記憶することによりデータの第２セットを記憶する動作を実行し、前記第１端点が黒体カーブ上にあり、前記第２端点が、前記複数の固体光源の固体光源の色点であり、前記第２の複数の組における各組が、前記相関色温度の第２セットの相関色温度に対応し、また関連の光束及び対応の調光レベルを含む。
【００１７】
更なる関連の実施形態においては、コントローラーは、前記複数の固体光源による光出力のために所望の調光レベルを特定する入力を受けることにより受ける動作を実行し；
前記コントローラーは、前記データの第１セット及び前記データの第２セット内で、前記所望の調光レベルと同一である対応の調光レベルの場所を求めることにより場所を求める動作を実行し；
前記コントローラーは、前記対応の調光レベルのためにｘ軸座標と対応のｙ軸座標の組及び対応の相関色温度を決定することにより決定する動作を実行し；及び
前記コントローラーは、決定されたｘ軸座標と対応のｙ軸座標の組及び対応の相関色温度を用い、前記複数の固体光源への電流を調整し、実質的に対応の調光レベルである調光レベルを有する光出力を生成することにより用いる動作を実行する。
【００１８】
別の関連の実施形態においては、前記コントローラーは、相関色温度の第２セットのためにＣＩＥ１９３１色度図上の第１端点と第２端点の間のライン上のｘ軸座標と対応のｙ軸座標の第２の複数の組を含むデータの第２セットを記憶することによりデータの第２セットを記憶する動作を実行し、前記第１端点が黒体カーブ上にあり、前記第２端点が前記複数の固体光源の固体光源の色点であり、前記第２の複数の組における各組が、前記相関色温度の第２セットの相関色温度に対応し、また前記ラインがラインセグメントである。
【００１９】
また別の関連実施形態においては、コントローラーは、相関色温度の第２セットのためにＣＩＥ１９３１色度図上の第１端点と第２端点の間のライン上のｘ軸座標と対応のｙ軸座標の第２の複数の組を含むデータの第２セットを記憶することにより、データの第２セットを記憶する動作を実行し、前記第１端点が黒体カーブ上にあり、前記第２端点が、前記複数の固体光源の固体光源の色点であり、前記第２の複数の組における各組が前記相関色温度の第２セットの相関色温度に対応し、前記ラインがカーブである。
【図面の簡単な説明】
【００２０】
本明細書に開示の上述及び他の目的、特徴及び利益が、異図に亘り同一参照記号が同一部分を意味する添付図面に図示されるように、本明細書に開示の特定の実施形態の次の記述から明らかになる。図面は必ずしも縮尺するものではなく、むしろ重きが明細書に開示の原理の図示に置かれている。
【００２１】
【図１Ａ】図１Ａは、本明細書に開示の実施形態に係る固体光源の非完全放射体調光が示唆されたＣＩＥ１９３１色度図の部分を示す。
【００２２】
【図１Ｂ】図１Ｂは、本明細書に開示の実施形態に係る非完全放射体調光を可能にする決定された情報のために用いられる適合ラインのグラフを図示する。
【００２３】
【図２】図２は、本明細書に開示の実施形態に係る完全放射体及び非完全放射体調光が可能である照明装置を図示する。
【００２４】
【図３】図３は、本明細書に開示の実施形態に係る完全放射体及び非完全放射体調光が可能である照明システムを図示する。
【００２５】
【図４】図４は、本明細書に開示の実施形態に係る複数の固体光源の調光方法を図示する。
【００２６】
【図５】図５は、本明細書に開示の実施形態に係る複数の固体光源の調光方法を図示する。
【発明を実施するための形態】
【００２７】
一貫して用いられるように、固体光源（群）との用語は、１以上の発光ダイオード（ＬＥＤ）、有機発光ダイオード（ＯＬＥＤ）、ポリマー発光ダイオード（ＰＬＥＤ）、及び任意の他の固体発光体、及び／又はこれらの組み合わせを意味する。更には、一貫して用いられるように、相関色温度（ＣＣＴ）との用語は、特定のｘ及びｙ座標（つまり、Ｃx及びＣy）を有するＣＩＥ１９３１色度図上の色点を意味する。そのようなＣＣＴ値の幾つかは、ＣＩＥ１９３１色度図の完全放射体カーブ上に見られ、そのようなＣＣＴ値の幾つかは、以下に記述のように、完全放射体カーブから離れて見られる。
【００２８】
本明細書に記述の実施形態は、ＣＩＥ１９３１色度図の完全放射体カーブに沿って、また完全放射体カーブから外れて調光されるように制御される固体光源群を含む照明装置／システムを提供する。そのような完全放射体カーブから外れた調光は、「非完全放射体調光」と一貫して呼ばれ、完全放射体カーブに沿う調光の典型的な誤差内にない調光を含む。固体光源に関して良く知られているように、固体光源の接合温度が変化すると、それにより出射される光の色が変動し、特には、固体光源が制御される時、黒体放射体を模倣及び／又は実質的に模倣する（すなわち、完全放射体カーブに従い、及び／又は完全放射体カーブに実質的に従う）。そのような変動は、用語が一貫して用いられる「非完全放射体調光」ではないものと理解される。
【００２９】
ソフトウェア及びハードウェアの組み合わせにより制御される固体光源を具備する実施形態が本明細書に記述される。そのような組み合わせは、固体光源に接続された１以上のパルス幅変調装置（群）へ制御信号を提供するコンピューターシステム及び／又はメモリー装置に記憶されたソフトウェア指令、固体光源が受ける電流を変調する回路に接続されたマイクロコントローラー内にファームウェアとして記憶された指令、及び他のものを含む任意の多様な既知の形態を取り得る。従って、幾つかの実施形態においては、固体光源の調光の制御は、固体光源を含む実際の照明装置／システム内にあり、幾つかの実施形態においては、調光の制御が、固体光源を含むライトエンジンの外部及び接続されたソースに由来する。
【００３０】
複数の固体光源を含むものとして本明細書において実施形態が記述される。説明の簡単さのためのみ、各々、少なくとも一つのこはく色（amber）、一つの青白色（bluish white）、及び一つのミント色（mint）の固体光源を含む複数の固体光源に関して参照が一貫して為される。もちろん、少なくとも３つの異なる色がある限りにおいて、任意の数の固体光源が用いられ得る、また固体光源の任意の色の組み合わせが用いられる。本明細書で用いられるように、こはく色の固体光源（群）との用語は、実質的に６０５ｎｍ〜実質的に６５０ｎｍの波長、幾つかの実施形態においては、実質的に６２０ｎｍの波長を有する光を出射する固体光源を含む。本明細書で用いられるように、ミント色の固体光源（群）との用語は、完全放射体カーブ上にあり、またＣＩＥ１９３１色度図の緑色空間にある及び／又は実質的にあるように、白色光よりも緑色の要素を多く持つ白色光を生成する固体光源を含む。本明細書で用いられるように、青白色の固体光源（群）との用語は、完全放射体カーブ上にあり、またＣＩＥ１９３１色度図の青色空間にある及び／又は実質的にあるように、白色光及び／又は白色光よりも青色の要素を多く持つ実質的に白色光を生成する固体光源を含む。特定の用途において用いられる固体光源の数が、限定するわけではないが、例えば、所望のルーメン出力及び所望の調光と同様、光が意図される用途に依存する。例えば、商業用途の２フィート掛ける２フィートの照明器具にて光源として用いられることが意図されるライトエンジンは、Ａ１９後付ランプにおける用途に意図されるライトエンジンよりも多くの固体光源を含むだろう。
【００３１】
実施形態は、少なくとも３つの固体光源を含まなければならず、３つの固体光源の各々が、他の２つとは異なる及び／又は実質的に異なる色点を有する光を放射する。もちろん、幾つかの実施形態においては、３つの固体光源が、同一のチップ及び／又はパッケージに包含される。幾つかの実施形態においては、少なくとも４つの固体光源Ａ、Ｂ、Ｃ、及びＤがあり、ＡがＢとＣとは異なる色を持つ光を放射し、ＢがＡとＣとは異なる色を持つ光を放射し、ＣがＡとＢとは異なる色を持つ光を放射するが、Ｄと同様である。更なる拡張（少なくとも５つの固体光源、少なくとも６つの固体光源等）が実施形態の範囲内にある。
【００３２】
少なくとも３つの異なる色の固体光源のグループが任意の特定の順番で配列されるが、幾つかの実施形態は、ミント色の固体光源と青白色の固体光源の間にこはく色の固体光源があるグループ化を含む。幾つかの実施形態においては、あるグループの固体光源の配列が、別のグループ及び／又はグループ群における固体光源の配列とは異なる。更には、幾つかの実施形態においては、固体光源のグループ化は、異なる色の固体光源の全数未満を含む。従って、例えば、第１グループが２つのこはく色と１つのミント色の固体光源を有し、他方、第２グループが２つの青白色と１つのミント色の固体光源を有する。代替的に、若しくは追加的に、第１グループが２つのこはく色の固体光源を有し、第２グループが、１つのミント色と１つの青白色の固体光源を有し、第３グループが、１つのミント色と１つの青白色の固体光源を有し、第４グループが１つのミント色、１つのこはく色、及び１つの青白色の固体光源を有する。可能な組み合わせは無限である。
【００３３】
非完全放射体である赤い調光に関して実施形態が以下に記述されるが、これは、例示目的のみであり、もちろん完全放射体カーブから外れたスペクトルの異なる部分への他の種類の非完全放射体調光が可能であり、本発明の範囲内のものと予期される。実施形態は、複数の固体光源（例えば、３つの異なる色）と一緒に良好な精度で特定の相関色温度（ＣＣＴ）を生成する制御回路（限定するわけではないが、例えば、電流調整回路、例えば、ＰＷＭ生成器と共に、コントローラー及び指令が記憶されたメモリーシステム）を用いる。
【００３４】
非完全放射体調光を可能にするため、完全放射体調光（若しくはほぼ完全放射体調光）のための第１値が確立されなければならない。例えば、２５ワット白熱又はハロゲンランプが慣例の位相カット調光器に接続され、ランプのＣＣＴと同様にランプの出力（つまり、ルーメンで測定される光束）が様々な調光器設定（例えば、１００％、７５％、５０％等）で測定される。位相カット調光器に接続された２５ワット白熱ランプに為されるそのような一連の測定の例が下の表１に見られ、測定されたＣＣＴに対応するＣＩＥ１９３１色度図上のＸ及びＹ座標が追加されている：
【００３５】
表１
2015519698.tif 000003
【００３６】
ＣＣＴの関数として照明装置の光束をプログラムすることが可能であり、照明装置の固体光源が調光される時、照明装置による光出力が、特定レベル（例えば、５０％）まで調光された白熱ランプのもの（例えば）と同等のＣＣＴを有する。調光過程の例えば、２５Ｗの白熱ランプのＣＣＴの関数の光束が次のように抜粋される：
【００３７】
Φ(CCT)=(3.012×10-6CCT2-1.235×10-2CCT+12.75)×Φ(2595K)（方程式１）
【００３８】
少なくとも３つの異なる（及び／又はやや異なる）色の固体光源を含む実施形態が、３つの独立した入力Ｃx、Ｃyと（完全放射体及び非完全放射体調光の両方のための）光束、若しくは３つの独立した入力Ｃx、Ｃy及び非完全放射体調光のための光束と、完全放射体調光のための２つの独立した入力ＣＣＴ及び光束のいずれかを取り、特定の調光レベルが与えられれば、この情報を用いて、固体光源の出力を調整し、所望のＣＣＴを生成する。
【００３９】
換言すれば、例として上の表１のデータを用いれば、慣例の２５Ｗ白熱ランプが、その出力が〜７０％となるように調光される時、２５０５ＫのＣＣＴを有する光を出力することが分かる。制御回路が出力を７０％まで調光する指令を受ける時、回路／そこに記憶されたソフトウェアが、限定するわけではないが、例えば、記憶されたデータの表（これは、また幾つかの実施形態においては現に、表１のデータと同様のデータを包含する）を参照するように実施形態が構成される。データは、〜７０％の調光レベルが２５０５ＫのＣＣＴを有する１５５．１ルーメンの出力ルーメンレベルに対応することを示す。回路／そこに記憶されたソフトウェアは、次に（例えば、固体光源への電流に適切な調整をする固体光源に接続されたＰＷＭ生成器へデータを供給することにより）照明装置の固体光源に供給される電流を調整し、固体光源が、２５０５ＫのＣＣＴの１５５．１ルーメンのルーメンレベルの光を提供する。
【００４０】
方程式１及び表１に示されたデータの対応の表が実施形態により用いられ、完全放射体／黒体カーブ上（若しくは実質的にその上）のＣＣＴ値の範囲のために固体光源を適切に調整する。例えば、照明装置が赤い調光を模倣する実施形態においては、この範囲が３０００Ｋから２５００Ｋである。もちろん、照明装置は、２５００Ｋ未満のＣＣＴ値に対応するレベルまで調光される見込みである。しかしながら、そのような値については、照明装置は、むしろ非完全放射体調光を使用する。そのような実施形態においては、特定の色点を過ぎた黒体カーブに従うように継続するのに代えて、用いられる値が、図１Ａに示されるように黒体カーブから離れ、そこでは、赤いラインが、３０００Ｋ及び約２０００Ｋの間の本明細書に記述の実施形態に係る照明装置の調光を表す。３０００Ｋから２５００Ｋまで、図１Ａに示されるように、赤いラインが、黒体カーブに従う（若しくは実質的に従う）。２５００Ｋ未満から約２０００Ｋまで、赤いラインが、カーブから逸れ、むしろ３色の固体光源の一つの色点に対応する点に交差するラインに従う。もちろん、この技術は、任意の色点の光を放射する固体光源に用いられ得るが、図１Ａに示すように、約６２０ｎｍのこの色点は、照明装置に用いられている、こはく色の固体光源（群）に対応する。２５００Ｋ未満のＣＣＴに対応するルーメンレベルのために適切なＣx及びＣy値を取得するため、２５００Ｋに対応するカーブ上の点が、直線ラインにより、こはく色の固体光源（群）に対応する点に接続される。換言すれば、カーブ上の２５００Ｋで、Ｃx＝０．４７６４、またＣy＝０．４１３７である。こはく色の固体光源（群）に対応する点が、（約）Ｃx＝０．６８８、またＣy＝０．３０７である。２５００Ｋから２０００Ｋまでの直線ラインに沿うＣxの関数としての光束が、次のように計算され、ここで、Ｃxの範囲が０．４７６４〜０．５１３０である：
【００４１】
Ｃy＝０．６５３９−０．５０４３Ｃx（方程式２）
【００４２】
ＣＣＴ＝４．７７１７×１０4（Ｃx）2−６．０９２３×１０4Ｃx＋２．０６９７×１０4（方程式３）
【００４３】
方程式３は、カーブ上の２５００Ｋ点とこはく色の固体光源（群）に対応する点を接続するラインに沿うＣxの関数としてのＣＣＴを示す。それは図１ＡＢのグラフに示された適合から抽出される。上の方程式１を用いることで、あるＣxでの光束パーセントが、色調整の第２ステップのために取得される。
【００４４】
もちろん非完全放射体調光を実行することは、上に示したように、カーブ上の点とＣＩＥ１９３１色度図上の他のどこかの点を結ぶ直線ラインを用いることを要求しない。カーブ上の点とカーブ上にない固体光源の色点の間の接続は、これらの間の任意のセットの点を含み、幾つかの実施形態においては現に含み、限定するわけではないが、カーブした円弧、曲がりくねったライン、自由造形のライン、のこぎり歯状のライン、矩形波状のライン、若しくはＣＩＥ１９３１色度図といった２次元平面における２点を接続することが可能であると知られる任意の他の点のセットを含む。従って、幾つかの実施形態においては、接続は、ラインセグメント、複数のラインセグメント、カーブ、及び／又は複数のカーブ、及び／又はこれらの組み合わせである。もちろん、端点間の接続は、上に示した計算への変更に帰結し、例えば、２次元平面における２つのある点の間のカーブした円弧のための値の決定とは２次元平面における２つのある点の間の直線ラインのための値の決定が異なる。しかしながら、どのような計算（群）が要求されるとしても、残存のステップは、所望のＣＣＴ値の範囲内まで下がり、及び／又は所望の調光及び／又はルーメンレベルに対応するまで光出力を生成するように固体光源を調整するように実施形態により用いられるこれらの計算（群）からＣx及びＣy値が生成される点において似ている。
【００４５】
実施形態のための所望のＣＣＴ値の範囲における点の調整は、上記のように、範囲の中央である必要はなく、むしろ、黒体カーブに従わない値の範囲を生成する点に接続される時、所望の調光効果を生成する任意の点である。図１Ａを見ることから分かるように、非完全放射体調光がカーブ上にない色点を生成するが、結果としての光出力が、完全放射体カーブ上のＣＣＴ値に十分に似ており、所望のＣＣＴ値の全範囲に亘るカーブに忠実に（若しくは実質的に忠実に）従う必要がなくても、所望の照明効果を達成するのに十分である。
【００４６】
もちろん固体光源の初期の選択とそれらの各出力色が、未定の非完全放射体調光オプションが利用可能であると決定することに役立つ。制御回路／そこに包含されたソフトウェアは、非完全放射体調光を達成するために用いられる実際の固体光源の利用可能な色点に従ってプログラムされなければならない。
【００４７】
幾つかの実施形態においては、調光が、未定のＣＣＴ値のある範囲及び適切な固体光源の選択のために、完全放射体であり、次に、非完全放射体であり、次に再び完全放射体である。同様に、幾つかの実施形態においては、調光が、未定のＣＣＴ値のある範囲及び適切な固体光源の選択のために、非完全放射体であり、次に完全放射体であり、次に再び非完全放射体である。
【００４８】
本明細書に記述の実施形態は、（例えば）あるＣＣＴ範囲（例えば、２０００Ｋ〜３０００Ｋ）において任意のＣＣＴで白熱ランプと実質的に同一、また幾つかの実施形態においては現に同一の光束のパーセントを固体光源が達成することを保証する。
【００４９】
図２は、本明細書に開示の実施形態に係る完全放射体及び非完全放射体調光が可能である照明装置１００を示す。照明装置１００は、複数の固体光源１０２を含む。複数の固体光源１０２は、第１色点を有する第１固体光源１０４、第２色点を有する第２固体光源１０６、及び第３色点を有する第３固体光源１０８を含む。もちろん、幾つかの実施形態においては、上記のように、複数の固体光源１０２において各固体光源の倍数がある。照明装置１００は、また、複数の固体光源１０２に接続された制御回路１１０を含む。制御回路１１０は、複数の固体光源１０２の各固体光源１０４、１０６、１０８に流れる電流量を制御し、照明装置１００のための光出力１５０を生成するように構成される。メモリーシステム１２０が制御回路１１０に接続される。メモリーシステム１２０は、複数の固体光源１０２の完全放射体及び非完全放射体調光を許容するデータを含む。従って、幾つかの実施形態においては、メモリーシステム１２０は、上の表１に見られるものと同様のデータ、また上の方程式１〜３から生成されるデータと同様のデータを含む。より広く話せば、メモリーシステム１２０は、データの第１セット１２２、データの第２セット１２４を含む。データの第１セット１２２とデータの第２セット１２４は、相関色温度の範囲に及ぶ。データの第１セット１２２が、ＣＩＥ１９３１色度図上のｘ軸座標及び対応のｙ軸座標の第１の複数の組を含み、ここで、第１の複数の組の各組が対応の光束を含み、各対応の光束が、その範囲の第１部分上の特定の相関色温度に関する。データの第２セット１２４は、ＣＩＥ１９３１色度図上のｘ軸座標及び対応のｙ軸座標の第２の複数の組を含み、第２の複数の組における各組が対応の光束を含み、各対応の光束が、その範囲の第２部分上の特定の相関色温度に関する。上述のように、その範囲の第１部分のための前記第１の複数の組は、その範囲の第１部分内の相関色温度の第１セットのために黒体カーブからｘ座標及び対応のｙ座標の組を取ることにより決定され、その範囲の第２部分の相関色温度の第２セットのために第２の複数の組は、第１端点と第２端点を接続するラインからｘ座標と対応のｙ座標の組を取ることにより決定され、ここで、第１端点が黒体カーブ上にあり、第２端点が、第１色点、第２色点、第３色点の一つである。
【００５０】
幾つかの実施形態においては、制御回路１１０は、入力回路１４０を含む。入力回路１４０は、入力１６０を受けるように構成される。受け取った入力１６０に応答し、制御回路１１０は、メモリーシステム１２０におけるデータの第１セット１２２とデータの第２セット１２４にアクセスし、入力１６０に対応する所望の設定へ照明装置１００のための光出力１５０を調整するように構成される。幾つかの実施形態においては、入力１６０が、光出力１５０のために所望の相関色温度及び所望の光束の一つを規定する。幾つかの実施形態においては、データの第１セット１２２における第１の複数の組における組のサブセットが、組の光束に対応する調光レベルを含む。幾つかの実施形態においては、データの第２セット１２４における第２の複数の組における組のサブセットが、組の光束に対応する調光レベルを含む。幾つかの実施形態においては、入力回路１４０が所望の調光レベルを含む入力１６０を受け取り、これに応答して、制御回路１１０は、メモリーシステム１２０のデータの第１セット１２２とデータの第２セット１２４にアクセスし、所望の調光レベルに対応する光束まで照明装置１００のための光出力１５０を調整するように構成される。
【００５１】
データの第１セット１２２とデータの第２セット１２４が図２に異なるものとして示されるが、もちろん、幾つかの実施形態においては、同一のセット（限定するわけではないが、両方のセットを含むデータの表といったもの）に一緒にグループ化される。これは、データの第１セットとデータの第２セットを異なるものとして示す全ての図にも当てはまる。
【００５２】
図３は、コントローラー２１０及びメモリーシステム２２０を介して複数の固体光源１０２を調光することができる照明システム２００の例示のアーキテクチャーを図示するブロック図である。照明システム２００は、調光アプリケーション２５０−１及び本明細書に開示の例示の構成を説明するために適する調光プロセス２５０−２を実行、進行、解釈、動作、若しくは他のように実行する。
【００５３】
照明システム２００は、限定するわけではないが、パーソナルコンピューター、ワークステーション、ポータブル計算装置、コンソール、ラップトップ、ネットワーク端末、タブレット、スマートフォン又は同種のものといった任意の種類のコンピューター化された装置を用いて実現され得る。図３に示すように、照明システム２００は、メモリーシステム２２０とコントローラー２１０を結合するデータバス又は他の回路といった相互接続部を含む。幾つかの実施形態においては、オプションの入力２６０が、コントローラー２１０に結合され、ユーザーが照明システム２００に入力を与えることを許容する。代替して、又は追加して、オプションの入力２６０が、タッチスクリーン及び／又はタッチ感応装置又は任意の他の既知の入力装置の使用を介して実現され得る。
【００５４】
メモリーシステム２２０は、任意の種類のコンピューター読み取り可能媒体であり、幾つかの実施形態においては、調光プロセス２５０−２を含む調光アプリケーション２５０−１でエンコードされる。調光アプリケーション２５０−１は、また幾つかの実施形態においては現に、本明細書に記述のものとは異なる実施形態に係る処理機能をサポートするデータ及び／又は論理指令（例えば、メモリーシステム２２０に又はリムーバブルフラッシュドライブといった別のコンピューター読み取り可能媒体上に記憶されたコード）といったソフトウェアコードとして具現化される。照明システム２００の動作過程では、調光アプリケーション２５０−１の論理指令を起動、進行、実行、解釈若しくは他のように実行するべく、コントローラー２１０が相互接続部を介してメモリーシステム２２０にアクセスする。この態様での調光アプリケーション２５０−１の実行が、調光プロセス２５０−２における処理機能を生成する。換言すれば、調光プロセス２５０−２は、ランタイムで照明システム２００のコントローラー２１０内又は上で動作又は実行する調光アプリケーション２５０−１の１以上の部分又はランタイムインスタンスを表す。
【００５５】
本明細書に開示の例示の構成が、（つまり、非実行又は非動作の論理指令及び／又はデータの形態の）調光プロセス２５０−２を含む調光アプリケーション２５０−１自体を含むものと記される。調光アプリケーション２５０−１は、（フロッピー（登録商標）ディスク、コンパクトディスク、ＤＶＤ、フラッシュドライブ、固体ディスク等）コンピューター読み取り可能媒体、ハードディスク、電子、磁気、光又は他のコンピューター読み取り可能媒体上に記憶され得る。また、調光アプリケーション２５０−１は、ファームウェア、リードオンリーメモリー（ＲＯＭ）又は、この例のように、例えば、ランダムアクセスメモリー（ＲＡＭ）における実行可能コードとしてメモリーシステム２２０に記憶され得る。これらの実施形態に加えて、本明細書の他の実施形態が、調光プロセス２５０−２としてコントローラー２１０の調光アプリケーション２５０−１の実行を含むことに留意されたい。当業者は、照明システム２００が、本明細書に不開示のオペレーティングシステム及び／又はネットワークインターフェースといった他のプロセス及び／又はソフトウェア及びハードウェア部品を含むものと理解するだろう。
【００５６】
照明システム２００は、本明細書に開示の実施形態に係る完全放射体及び非完全放射体調光が可能である。照明システム２００は、第１色点を有する第１固体光源１０４、第２色点を有する第２固体光源１０６、第３色点を有する第３固体光源１０８を含む複数の固体光源１０２をまた含む点において照明装置１００と同様である。照明装置１００と対比すると、照明システム２００は、複数の固体光源１０２に接続されたコントローラー２１０と、コントローラー２１０に接続されたメモリーシステム２２０を含む。メモリーシステム２２０は、調光アプリケーション２５０−１、データの第１セット２５２、及びデータの第２セット２５４を含む。データの第１セット２５２は、相関色温度の第１セットのためにＣＩＥ１９３１色度図の黒体カーブ上のｘ軸座標と対応のｙ軸座標の第１の複数の組を備え、ここで、第１の複数の組の各組が、相関色温度の第１セットの相関色温度に対応し、また関連の光束を有する。データの第２セット２５４は、相関色温度の第２セットのためにＣＩＥ１９３１色度図上の第１端点と第２端点の間のライン上のｘ軸座標と対応のｙ軸座標の第２の複数の組を備え、ここで、第１端点が黒体カーブ上にあり、第２端点が複数の固体光源の固体光源の色点であり、第２の複数の組における各組が相関色温度の第２セットの相関色温度に対応し、また関連の光束を有する。調光アプリケーション２５０−１は、調光プロセス２５０−２としてコントローラー２１０において実行される時、本明細書に記述の様々な動作を実行する。まず、調光プロセス２５０−２は、入力２６０を受け取る。入力２６０は、複数の固体光源１０２のための所望の調光レベルを特定する。次に、調光プロセス１５０−２は、データの第１セット２５２とデータの第２セット２５４内において、入力２６０の所望の調光レベルと同一である対応の調光レベルのために、ｘ軸座標と対応のｙ軸座標の組、対応の相関色温度、関連の光束の場所を求める。調光プロセス１５０−２は、次に、複数の固体光源１０２への電流を調整し、実質的に入力２６０の所望の調光レベルに関連したデータの第１セット２５２とデータの第２セット２５４における光束である光束を有する光出力２７０を生成する。
【００５７】
図４は、本明細書に開示の実施形態に係る複数の固体光源の調光方法を示す。図５は、本明細書に開示の実施形態に係る複数の固体光源の調光方法を示す。図４及び図５の両方とも、それらの各方法をフローチャートの態様で示す。コンピューターソフトウェアを含む実施形態においては、矩形の要素が「処理ブロック」として本明細書で表され、コンピューターソフトウェア指令又は指令のグループを表す。代替して、処理ブロックが、デジタル信号プロセッサー回路又は特定用途向け集積回路（ＡＳＩＣ）といった機能的な同等の回路により実行されるステップを表す。フローチャートは、任意の特定のプログラミング言語の構文を図示するものではない。むしろ、フローチャートは、当業者が本発明に従って要求される処理を実行するように回路を製作する若しくはコンピューターソフトウェアを生成するのに要求される機能的な情報を図示する。ループ及び変数の初期化及び一時的な変数の使用といった多くのルーチンプログラム要素が示されていないことに留意されたい。本明細書に逆のことが示されなければ、当業者は、記述されたステップの特定のシーケンスが例示のみであり、本発明の精神から逸脱することなく変更されるものと理解するだろう。従って、逆のことが述べられなければ、以下に記述のステップが順不定であり、可能であるならば、ステップが、任意の簡便若しくは望ましい順番で実行されることが意味される。
【００５８】
図４においては、ステップ４０１でデータの第１セットが生成される。データの第１セットは、相関色温度の第１セットのためにＣＩＥ１９３１色度図の黒体カーブ上のｘ軸座標と対応のｙ軸座標の第１の複数の組を含み、ここで、第１の複数の組における各組が、相関色温度の第１セットの相関色温度に対応する。次に、ステップ４０２で、光束及び対応の調光レベルが、第１の複数の組における各組に関連される。ステップ４０３でデータの第２セットが生成される。データの第２セットは、相関色温度の第２セットのためにＣＩＥ１９３１色度図上の第１端点と第２端点の間のライン上のｘ軸座標と対応のｙ軸座標の第２の複数の組を含み、ここで、第１端点が黒体カーブ上にあり、第２端点が、複数の固体光源の固体光源の色点であり、第２の複数の組における各組が、相関色温度の第２セットの相関色温度に対応する。ステップ４０４で、光束及び対応の調光レベルが第２の複数の組における各組に関連される。ステップ４０５で、入力が受け取られ、ここで、入力が所望の調光レベルを特定する。ステップ４０６で、所望の調光レベルと同一である対応の調光レベルのために、データの第１セット及びデータの第２セットにおいて、ｘ軸座標と対応のｙ軸座標の組、対応の相関色温度、及び関連の光束の場所が求められる。最後に、ステップ４０７で、複数の固体光源への電流が調整され、実質的に所望の調光レベルに関連したデータの第１セットとデータの第２セットにおける光束である光束を有する光出力を生成する。
【００５９】
図５においては、ステップ５０１で、データの第１セットが記憶される。データの第１セットは、相関色温度の第１セットのためにＣＩＥ１９３１色度図の黒体カーブ上のｘ軸座標と対応のｙ軸座標の第１の複数の組を含み、ここで、第１の複数の組における各組が、相関色温度の第１セットの相関色温度に対応し、また関連の光束を含む。ステップ５０２で、データの第２セットが記憶される。データの第２セットは、相関色温度の第２セットのためにＣＩＥ１９３１色度図上の第１端点と第２端点の間のライン上のｘ軸座標と対応のｙ軸座標の第２の複数の組を含み、ここで、第１端点が黒体カーブ上にあり、第２端点が、複数の固体光源の固体光源の色点であり、ここで、第２の複数の組における各組が、相関色温度の第２セットの相関色温度に対応し、また関連の光束を含む。ステップ５０３で、入力が受け取られ、ここで、入力が複数の固体光源からの所望の光束を特定する。ステップ５０４で、データの第１セット及びデータの第２セットにおいて、所望の光束と同一である関連光束の場所が求められる。ステップ５０５で、関連の光束のためのｘ軸座標と対応のｙ軸座標の組と対応の相関色温度が決定される。最後に、ステップ５０６で、決定された組のｘ軸座標と対応のｙ軸座標と対応の相関色温度が用いられ、複数の固体光源への電流が調整され、実質的に関連の光束である光束を有する光出力を生成する。
【００６０】
本明細書に記述の方法及びシステムは、特定のハードウェア又はソフトウェア構成に限定されず、多くの計算又は処理環境における適応性を見出す。方法及びシステムは、ハードウェア又はソフトウェア、又はハードウェアとソフトウェアの組み合わせにおいて実施され得る。方法及びシステムは、１以上のコンピュータープログラムで実施され得、ここで、コンピュータープログラムが、１以上のプロセッサー実行可能指令を含むものと理解される。コンピュータープログラム（群）は、１以上のプログラム可能プロセッサー上で実行され、プロセッサー（揮発及び不揮発メモリー及び／又は記憶要素を含む）、１以上の入力装置及び／又は１以上の出力装置により読み取り可能である１以上の記憶媒体上に記憶され得る。プロセッサーは、従って、１以上の入力装置にアクセスし、入力データを取得し、また１以上の出力装置にアクセスし、出力データを通信する。入力及び／又は出力装置は、ランダムアクセスメモリー（ＲＡＭ）、独立ディスク冗長アレイ（ＲＡＩＤ）、フロッピー（登録商標）ディスク、ＣＤ、ＤＶＤ、磁気ディスク、内部ハードドライブ、外部ハードドライブ、メモリースティック、若しくは本明細書に提示のようにプロセッサーによりアクセス可能である他の記憶装置の１以上を含み、ここでそのような上述例が網羅的ではなく、限定ではなく説明のためのものである。
【００６１】
コンピュータープログラム（群）は、コンピューターシステムと通信する１以上のハイレベル手続き型又はオブジェクト指向プログラミング言語を用いて実施される；しかしながら、望まれるならば、プログラム（群）は、アセンブリ又は機械言語で実施され得る。言語がコンパイル又は解釈され得る。
【００６２】
本明細書に提示のように、プロセッサー（群）は、従って、独立して若しくはネットワーク環境において一緒に動作する１以上の装置に組み込まれ、ここで、ネットワークが、例えば、ローカルエリアネットワーク（ＬＡＮ）、ワイドエリアネットワーク（ＷＡＮ）を含み、及び／又はイントラネット及び／又はインターネット及び／又は別のネットワークを含む。ネットワーク（群）は、有線又は無線又はこれらの組み合わせであり、１以上の通信プロトコルを用い、異なるプロセッサー間の通信を促進する。プロセッサーは、分散処理のために構成され、また幾つかの実施形態においては、必要に応じてクライアント−サーバーモデルを利用する。従って、方法及びシステムは、多数のプロセッサー及び／又はプロセッサー装置を使用し、またプロセッサー指令が、そのような単一又は多数プロセッサー／装置内で分割され得る。
【００６３】
プロセッサーと結合する装置（群）又はコンピューターシステムは、例えば、パーソナルコンピューター（群）、ワークステーション（群）（例えば、Ｓｕｎ、ＨＰ）、パーソナルデジタルアシスタンス（群）（ＰＤＡ（群））、携帯電話（群）又はスマートフォン（群）といった手持ち装置（群）、ラップトップ（群）、手持ちコンピューター（群）、又は本明細書に提示のように動作するプロセッサー（群）に結合可能である別の装置（群）を含む。従って、本明細書に提示の装置は網羅的なものではなく、限定ではなく説明のために提示される。
【００６４】
「マイクロプロセッサー」及び「プロセッサー」又は「前記マイクロプロセッサー」及び「前記プロセッサー」の参照が、スタンドアロン及び／又は分散環境（群）において通信し、また従って他のプロセッサーと有線又は無線で通信するように構成された１以上のマイクロプロセッサーを含むものと理解され、そのような１以上のプロセッサーは、同様又は異なる装置の１以上のプロセッサーにより制御される装置上で動作するように構成される。そのような「マイクロプロセッサー」又は「プロセッサー」技術の使用は、従って、中央処理ユニット、演算論理ユニット、特定用途向け集積回路（ＩＣ）、及び／又はタスクエンジンを含むものと理解され、そのような例は、限定ではなく説明のために提供される。
【００６５】
更には、逆のことが明記されなければ、メモリーに関する参照は、プロセッサーにより制御される装置の内部、プロセッサーにより制御される装置の外部、及び／又は様々な通信プロトコルを用いて有線若しくは無線ネットワークを介してアクセスされる１以上のプロセッサー読み取り可能及びアクセス可能メモリー要素及び／又は部品を含み、逆のことが明記されなければ、そのようなメモリーが連続及び／又は本出願に基づいて区分される外部及び内部メモリー装置の組み合わせを含むように構成される。従って、データベースの参照が、１以上のメモリー連合を含むものと理解され、そのような参照が、商業的に利用可能なデータベース製品（例えば、ＳＱＬ、Ｉｎｆｏｒｍｉｘ、Ｏｒａｃｌｅ）、また専売データベースを含み、限定ではなく、説明のために提供されるリンク、キュー、グラフ、ツリーといったメモリーを関連付けるための他の構造も含むものと理解される。
【００６６】
ネットワークへの参照は、逆が述べられなければ、１以上のイントラネット及び／又はインターネットを含み得る。上述に従う、マイクロプロセッサー指令又はマイクロプロセッサー実行可能指令の参照は、プログラム可能ハードウェアを含むものと理解され得る。
【００６７】
逆が述べられなければ、「実質的に」との用語は、正確な関係、状態、配列、配向、及び／又は他の特徴を含み、また当業者が理解するように逸脱が開示の方法及びシステムに本質的に影響しない限りにおいてそこからの逸脱も含むものと解釈される。
【００６８】
本開示の全体を通し、名詞を修飾する不定冠詞及び／又は定冠詞の使用は、簡便のために用いられ、逆のことが詳細に述べられなければ、被修飾の名詞の一つ又は一つ以上を含むものと理解される。「備える」、「含む」及び「有する」との用語が包括的であり、列挙された要素以外の追加の要素があることを意味する。
【００６９】
所望の要素、部品、モジュール及び／又はこれらの部分及び／又はさもなくば図面を通じて通信し、関連し、及び／又は基礎となるように描かれた他のものが、本明細書に反対であると明記されなければ、直接及び／又は間接の態様にてそのように通信し、関連し、及び／又は基づくものと理解される。
【００７０】
方法及びシステムが、その特定の実施形態に関して記述されてきたが、そのように限定されるものではない。明らかに多くの修正及び変更が上述の教示に照らして明らかになる。本明細書に記述及び図示された部品の細部、材料、及び配列における多くの追加の変更が、当業者により為される。
【図１Ａ】
2015519698.tif 000004
【図２】
2015519698.tif 000005
【図３】
2015519698.tif 000006
【図１Ｂ】
2015519698.tif 000007
【図４】
2015519698.tif 000008
【図５】
2015519698.tif 000009
【国際調査報告】
2015519698.tif 000010
2015519698.tif 000011